(57)【要約】【課題】搬送されてくるシートがカールしている場合であっても，シートにステイプル処理等を施すためのシート受け部にシートを整合して重積させること。【解決手段】搬送されてくるシートＳの先端部及び一方の面それぞれをシート端部受け部３２及び傾斜して設けられた中間トレイ３１で受け，シートを重積させるよう構成されたシート受け部において，シート受け部に重積されるシートの先端部付近を該シートの両面それぞれから略対向して付勢する第１及び第２の弾性フィルム部材ｆ１，ｆ２と，シートの先端部付近を前記第１及び第２の弾性フィルム部材ｆ１，ｆ２よりもシートの両外側の位置において中間トレイ３１が受ける面に向けて付勢する第３の弾性フィルム部材ｆ３とを設ける。各弾性フィルム部材は，シート受け部でのシートの搬送方向上流側において固定し，シートの搬送方向下流側に向かってシート面に斜めに向かう方向に設ける。【選択図】図４
2004091191.tif 000002
【特許請求の範囲】
【請求項１】
搬送されてくるシートの先端部及び該シートの一方の面それぞれを所定のシート端部受け部及び傾斜して設けられたトレイで受けるよう構成されたシート受け部を具備し，該シート受け部に重積されたシートに所定の処理を施すシート処理装置において，
前記シート受け部に重積されるシートの先端部付近を該シートの両面それぞれから略対向して付勢する第１及び第２の弾性フィルム部材を具備してなることを特徴とするシート処理装置。
【請求項２】
前記シート受け部に重積されるシートの先端部付近を前記第１及び第２の弾性フィルム部材よりもシートの両外側の位置において前記トレイが受ける面に向けて付勢する第３の弾性フィルム部材を具備してなる請求項１に記載のシート処理装置。
【請求項３】
前記第１，第２及び第３の弾性フィルム部材の１又は複数が，前記シート受け部でのシートの搬送方向上流側において固定され，シートの搬送方向下流側に向かってシート面に斜めに向かう方向に設けられてなる請求項１又は２のいずれかに記載のシート処理装置。
【請求項４】
前記シート受け部に溜まったシートの先端部付近にステイプル処理を施すステイプル手段を具備してなる請求項１〜３のいずれかに記載のシート処理装置。
【発明の詳細な説明】
【０００１】
【発明の属する技術分野】
本発明は，搬送されてくるシートをシート受け部に重積させ，そのシートに所定の処理を施すシート処理装置に関するものである。
【０００２】
【従来の技術】
現在，画像形成装置により画像形成されたシートにステイプル処理や穴開け（パンチ）処理，２つ折り（中折り）処理等の処理を施すシート処理装置（画像形成装置の後処理装置）が普及している。一般に，このようなシート処理装置では，所定のシート受け部に順次搬送されてくるシートを重積させて，重積したシートにステイプル処理等の処理を施すよう構成されている。
図５は，従来のシート処理装置におけるシート受け部でシートを受ける様子を模式的に表した図である。
図５（ａ）の断面図に示すように，搬送ローラＲｏ１ｘ等で構成される所定のシート搬送手段から順次搬送されてくるシートＳは，前記搬送ローラＲｏ１ｘから外れて落下し，その下方に配置されたトレイ３１ｘ及びシート端部受け部３２ｘからなるシート受け部により受けられる。このとき，シートＳの先端部（下端部）及びシートＳの一方の面（図５において左側の面）は，それぞれ断面Ｌ字形状の前記シート端部受け部３２ｘ及び傾斜して設けられた前記トレイ３１ｘで受けられる。このようにして前記シート受け部に積載されたシートＳは，その先端部が前記シート端部受け部３２ｘにより整合された状態で矢印で示す方向からステイプル処理がなされる。
【０００３】
【発明が解決しようとする課題】
しかしながら，図５（ｂ）の断面図に示すように，シートＳがシートの搬送方向において前記トレイ３１ｘの反対側へカール（湾曲）している場合，シートＳの先端部が前記シート端部受け部３２ｘのシートの受け幅よりも外側にはみ出してしまい，前記シート端部受け部３２ｘで受け止めることができないという問題があった。
また，図５（ｃ）の断面図に示すように，シートＳの前記カールが比較的小さく，前記シート端部受け部３２ｘでシートＳを重積できた場合であっても，シートＳの先端部が前記シート端部受け部３２ｘによりシート面に対して斜めに揃えられてしまうので，整合がずれた状態でステイプル処理がなされてしまうという問題点もあった。
さらに，図５（ｄ）の平面図（上側から見た図）に示すように，シートＳがシートの搬送方向に直角の方向にカール（シートＳの幅方向にカール）している場合にも，前記シート端部受け部３２ｘでシートＳを正常に受け止められない，或いは多数枚を処理する場合に搬送路の幅に入りきらないという問題点もあった。従って，本発明は上記事情に鑑みてなされたものであり，その目的とするところは，搬送されてくるシートがカールしている場合であっても，シートにステイプル処理等を施すためのシート受け部にシートを整合して重積させることができるシート処理装置を提供することにある。
【０００４】
【課題を解決するための手段】
上記目的を達成するために本発明は，搬送されてくるシートの先端部及び該シートの一方の面それぞれを所定のシート端部受け部及び傾斜して設けられたトレイで受けるよう構成されたシート受け部を具備し，該シート受け部に重積されたシートに所定の処理を施すシート処理装置において，前記シート受け部に重積されるシートの先端部付近を該シートの両面それぞれから略対向して付勢する第１及び第２の弾性フィルム部材を具備してなることを特徴とするシート処理装置として構成されるものである。
これにより，前記第１及び第２の弾性フィルム部材によってシートの先端部付近，即ち，前記シート端部受け部によって受けられる部分の付近が両面から挟み込まれるように付勢されるので，シートが図５（ｂ），（ｃ）に示したようにカールしている場合であっても，そのカールが矯正され，シートが前記シート端部受け部からはみ出したり整合不良が生じたりする不具合の発生を防止できる。
【０００５】
また，前記シート受け部に重積されるシートの先端部付近を前記第１及び第２の弾性フィルム部材よりもシートの両外側の位置において前記トレイが受ける面に向けて付勢する第３の弾性フィルム部材を具備するものも考えられる。
これにより，シートが搬送方向にカールしている場合だけでなく，図５（ｄ）に示したようにシートの幅方向（搬送方向に直角の方向）にカールしている場合であっても，そのカールが矯正され，シートが前記シート端部受け部からはみ出す不具合の発生を防止できより好適である。
【０００６】
また，より具体的な構成としては，例えば，前記第１，第２及び第３の弾性フィルム部材の１又は複数が，前記シート受け部でのシートの搬送方向上流側において固定され，シートの搬送方向下流側に向かってシート面に斜めに向かう方向に設けられたものが考えられる。
これにより，前記第１〜第３の弾性フィルム部材の解放側（固定端と反対側）の端部がシートの搬送に逆らって引っ掛かることがない。
また，前記シート処理装置によればシートがその先端部が前記シート端部受け部に整合されて重積されるので，前記シート受け部に溜まったシートの先端部付近にステイプル処理を施すステイプル手段を具備する場合に好適である。
【０００７】
【発明の実施の形態】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係るシート処理装置Ｘの概略断面図，図２は本発明の実施の形態に係るシート処理装置Ｘを構成する中間処理ユニットの受け側ユニットの正面図，図３は本発明の実施の形態に係るシート処理装置Ｘを構成する中間処理ユニットの断面図，図４は本発明の実施の形態に係るシート処理装置Ｘを構成する中間トレイ等からなるシート受け部を模式的に表した図，図５は従来のシート処理装置のシート受け部を模式的に表した図である。
【０００８】
本発明の実施の形態に係るシート処理装置Ｘは，図１に示すような断面を有し，図示の右側側面において画像形成装置と連結される。従って，本シート処理装置Ｘの図１に向かって右側の側面には，画像形成装置から排出される画像形成されたシートを受け入れるシート入口１１が設けられている。また，前記シート入口１１に続けて設けられたシートの搬送路ｒ１の途中には，シートに穴開け処理を施すパンチ手段７０が設けられており画像形成装置からの所定の制御指令に従って，シートに穴開け処理がなされる。
前記搬送路ｒ１は，シートを上向きに導く搬送路ｒ２と下向きに導く搬送路ｒ３とに分岐しており，いずれの搬送路にシートを導くかは，揺動可能に設けられた可動ガイドｇ１のにより切り替えられるよう構成されている。
シートを上向きに導く前記搬送路ｒ２は，さらに，搬送中のシートを大型の退避ドラム２１の周面に沿う方向へ導いた後に下側へ向かう前記搬送路ｒ３へ導く搬送路ｒ２２に繋がっている。
そして，前記搬送路２２へ搬送されたシートは，前記退避ドラム２１の周面に沿った状態で一時退避した後，前記退避ドラム２１の回転によって前記搬送路ｒ３へ送り出される。
また，下側へ向かう前記搬送路ｒ３へ導かれたシートは，前記可動ガイドｇ１の下方（本シート処理装置の中央部）に設けられた中間処理ユニット３０に導かれる。
【０００９】
前記中間処理ユニット３０は，斜めに傾けて設けられた中間トレイ３１，該中間トレイ３１の上下方向中央付近の所定位置に揺動可能に設けられた第１のシート端部受け部３２，前記中間トレイ３１に沿って上下に移動可能に設けられた第２のシート端部受け部３３，前記中間トレイ３１の上下方向中央付近に設けられシートにステイプル処理を施す第１及び第２のステイプル手段３４，３５とを具備している。前記第２のシート端部受け部３３は，無端ベルト３７ａに取付けられており，該無端ベルト３７ａの正転／逆転によって上下に移動するよう構成されている。
また，前記中間処理ユニット３０は，前記中間トレイ３１や前記第１及び第２のシート端部受け部３２，３３，前記第１及び第２のステイプル手段３４，３５等が設けられている受け側ユニット３０ａと前記第１のステイプル手段３４に対向する第１のステイプル受け部３４’等が設けられているカバーユニット３０ｂとに区分されており，前記カバーユニット３０ｂが前記受け側ユニット３０ａに対して離接可能に構成されている。
図３は，前記カバーユニット３０ｂが前記受け側ユニット３０ａに対して離間及び近接する状態を表す断面図である。図３に示すように，前記カバーユニット３０ｂは前記受け側ユニット３０ａに回動可能に支持されており，該回動により前記カバーユニット３０ｂが前記受け側ユニット３０ａに対して近接（図３の（ａ）の位置）又は離間（図３の（ｂ）の位置）する位置に移動させることができるよう構成されている。前記中間処理ユニット３０は，本シート処理装置Ｘの本体から図１に向かって手前方向に引き出し可能に構成されており，前記中間処理ユニット３０を引き出した後，前記カバーユニット３０ｂを前記受け側ユニット３０ａから離間させることにより，前記中間処理ユニット３０のジャム処理やメンテナンス作業等を容易に行うことができる。
図２は，前記中間処理ユニット３０の前記受け側ユニット３０ａを前記シート入口１１側からみた正面図である。
前記第１のステイプル手段３４は，シートの幅方向（シートの搬送方向（図２では上下方向）に直角の方向）に所定間隔で並べて対に配置されたものであり，シートの端部付近の幅方向中央部へのステイプル処理，及びシートの搬送方向中央部へのステイプル処理（いわゆる中綴じ）を行う場合に用いられる。また，前記第２のステイプル手段３５は，シートの幅方向の一方の端部付近に斜め方向に配置されたものであり，シートのコーナー部へのステイプル処理を行う場合に用いられる。前記第１のステイプル受け部３４’は，前記第１のステイプル手段３４に対向する位置において前記カバーユニット３０ｂに設けられている。
【００１０】
図１に示す前記搬送路ｒ３に導かれたシートは，前記中間処理ユニット３０の上方に設けられた搬送ローラＲｏ１により下側へ搬送され，前記搬送ローラＲｏ１から外れて落下する。この落下してくるシートは，その一方の面（図１に向かって左側の面）が前記中間トレイ３１により受けられ，その先端部（下側端部）が前記第１又は第２のシート端部受け部３２，３３のいずれかにより受けられる。これにより，前記中間トレイ３１上にシートが複数重ねて溜められ（集積され），溜められたシートに前記第１又は第２のステイプル手段３４，３５によってステイプル処理が施される。
前記第１及び第２のシート端部受け部３２，３３のいずれによってシートの先端部を受けるかは，前記第１のシート端部受け部３２の揺動動作によって切り替えられる。即ち，前記第１のシート端部受け部３２が前記中間トレイ３１に沿う位置（近接する位置，以下，使用位置という）にある場合は，シートの先端部は前記第１のシート端部受け部３２により受けられ，前記第１のシート端部受け部３２がその揺動動作により前記中間トレイ３１から離間した退避位置にある場合は，前記搬送ローラＲｏ１により搬送されてきたシートの先端部は前記第１のシート端部受け部３２を通り過ぎて前記第１のシート端部受け部３２よりも下方に移動して待っている前記第２のシート端部受け部３３により受けられるよう構成されている。また，小サイズのシートを受ける場合は，前記第２のシート端部受け部３３を前記第１のシート端部受け部３２よりも上側へ移動させてシートを受けることも可能である。この場合，前記第１のシート端部受け部３２は前記使用位置にあっても前記退避位置にあってもかまわない。
例えば，シートの端部付近の所定位置にステイプル処理（いわゆる端部綴じ）を行いたい場合等は，前記第１のシート端部受け部３２にシートを積載した状態で前記第１又は第２のステイプル手段３４，３５によりステイプル処理がなされる。また，シートの搬送方向中央部付近にステイプル処理（いわゆる中綴じ）を行いたい場合等は，前記第２のシート端部受け部３３をシートを積載した状態でシートサイズに応じた位置に移動させ，前記第１のステイプル手段３４によりステイプル処理がなされる。また，シートのサイズによっては（前記第１のシート端部受け部３２で直接受けるべきサイズよりも大きい又は小さいサイズ），前記搬送ローラＲｏ１により搬送されてくるシートを，一旦，前記第２のシート端部受け部３３により受けて重積させた後，前記第１のシート端部受け部３３に積み替えることも行われる。この場合，まず，搬送されてくるシートを，そのシートのサイズに応じた位置（前記第１のシート端部受け部３３の位置よりも下側又は上側）に移動させた前記第２のシート端部受け部３３により受け，シートを積載した前記第２のシート端部受け部３３を前記第１のシート端部受け部３２よりも若干上側の位置（例えば，２ｍｍ程度上側）まで移動させた後（この間，前記第１のシート端部受け部３２は前記退避位置にある），前記第１のシート端部受け部３２を前記使用位置に揺動させ，さらに，前記第２のシート端部受け部３３を前記第１のシート端部受け部３２よりも下側に移動させることにより，前記第２のシート端部受け部３３に積載されたシートを前記第１のシート端部受け部３２に積み替える。ここで，前記第１のシート端部受け部３２は，本シート処理装置Ｘにおいて多用されるサイズのシート（例えば，Ａ４Ｙ／ＬＴＹサイズ）が搬送されてきたときにそのシートを直接受けるのに適した位置に配置されており，それよりも大きいサイズのシートが搬送されてくる場合であって，そのシートを前記第１のシート端部受け部３２に積載した状態でステイプル処理を施したい場合（即ち，端部綴じを行いたい場合）には，前述した積み替えが行われる。これにより，多用されるサイズのシートについては，前記第１のシート端部受け部３２によりシートを直接受けることができるので，前記第２のシート端部受け部３３の移動による位置合わせを行う必要が無く，迅速なステイプル処理が行える。さらに，シート端部付近の所定位置にステイプル処理（端部綴じ）を施す場合，ステイプル処理を行う位置に高い精度が要求され，前記第２のシート端部受け部３３の移動による位置合わせでは十分な位置決め精度を確保することが難しい場合があるが，このような場合でも，移動しない前記第１のシート端部受け部３２と移動しない前記第１及び第２のステイプル手段３４，３５との位置関係は予め精度高く設定することが可能であるので，十分な位置精度でステイプル処理を施すことが可能となる。
【００１１】
前記中間処理ユニット３０においてステイプル処理が施されたシート（シート束）は，さらに２つ折り処理（以下，中折り処理という）を施す場合には前記中間処理ユニット３０内からその下側に設けられた中折りユニット４０内の搬送路ｒ５へ送り出され，前記中折り処理を施さない場合には上側の搬送路ｒ４へ送り出される。
前記シートの前記搬送路ｒ５への送り出しは，前記中間処理ユニット３０の下部に揺動可能に支持された搬送ローラＲｏ２により行われる。前記搬送ローラＲｏ２は，通常は，前記搬送ローラＲｏ２に対向して配置された従動ローラＲｏ２’と離間する位置に退避しており，シートを前記搬送路ｒ５へ送り出す際に，前記従動ローラＲｏ２’に近接する位置に揺動して前記従動ローラＲｏ２’との間にシートを挟み，前記搬送ローラＲｏ２の回転力により前記搬送路ｒ５へシートを送り出す（搬送する）。
前記中折りユニット４０内の前記搬送路ｒ５に導かれたシート（シート束）は，前記中折りユニット４０内の搬送ローラＲｏ３によってさらに搬送されて所定位置に停止させられる。そして，シートの搬送方向中央部に押し型４１が押し当てられ，シートが前記押し型４１の押し当て面と反対側において対向配置されて回転する２つの中折り用ローラ４２の間に２つ折りされながら挟まれる。２つの前記中折り用ローラ４２は，互いに対向する方向に付勢されており，この付勢力によってシートに折り目がつけられる。このようにして中折り処理がなされたシートは，前記中折り用ローラ４２の回転力によってその折り部が先頭となる方向に搬送され，前記中折り用ローラ４２上方の搬送路ｒ６を経て，前記中折りユニット４０内の排出ローラＲｏ４によって，前記シート入口１１の反対側の側面に設けられた下段シート出口１４からその外側に設けられた中折りシート排出トレイ６０上に排出される。このとき，前記下段シート出口１４の上方に回動自在に設けられたシート抑え部材６１により，中折り処理されたシートが抑えられて整合される。
【００１２】
一方，前記中間処理ユニット３０上側の前記搬送路ｒ４へのシートの送り出しは，前記中間トレイ３１に沿って上下に移動可能に設けられた断面Ｔ字形状のシート送り出し部材３６によって行われる。前記シート送り出し部材３６は，無端ベルト３７ｂに取付けられており，該無端ベルト３７ｂの正転／逆転によって上下に移動するよう構成されており，前記中間トレイ３１の裏面側（下側）へ退避させることも可能である。また，前記シート送り出し部材３６と前記第２のシート端部受け部３３との上下動の範囲は一部で重複しており，前記シート送り出し部材３６を最下端へ移動させた位置の方が，前記第２のシート端部受け部３３を最上端へ移動させた位置よりも下側となるよう構成されている。
このように構成された前記シート送り出し部材３６により，以下のようにしてシートが上側の前記搬送路４へ送り出される。
まず，前記シート送り出し部材３６を裏面側へ退避させた状態で，シートを積載した前記第２のシート端部受け部３３を最上端まで移動させる。次に，前記シート送り出し部材３６を最下端からおもて面側へ移動させ，さらに前記第２のシート端部受け部３３よりも上側へ移動させることにより前記第２のシート端部受け部３３に積載されたシートを前記シート送り出し部材３６上に積み替えられる。そして，さらに前記シート送り出し部材３６を上側へ移動させることにより，積み替えられたシートが前記搬送路ｒ４へ送り出される。
このようにして前記搬送路ｒ４に搬送されてきたシート（シート束）は，シート排出手段８０により搬送が引き継がれて，該シート排出手段８０の具備する排出ローラＲｏ６の回転力により中段シート出口１３からその外側に複数設けられた可動トレイ５０のいずれかに排出される。該可動トレイ５０は，それぞれシートの排出方向に向かって上向くように傾斜して設けられている。さらに，前記可動トレイ５０は上下方向に移動可能に構成され，その停止位置によって前記中段シート出口１３から排出されるシートをいずれの前記可動トレイ５０で受けるかが切り替えられる。
【００１３】
次に，図４を用いて，本発明の特徴点である前記第１のシート端部受け部３２でシートを受ける場合のシートの抑え機構について説明する。
図４は，本シート処理装置Ｘにおける前記中間トレイ３１及び前記第１のシート端部受け部３２からなるシート受け部の断面図（ａ），（ｃ）及び正面図（ｂ）（図４（ａ）の矢印Ｐ方向から見た図）を模式的に表したものである。
図４（ａ），（ｂ）に示すように，前記第１のシート端部受け部３２の付近には，３組（２枚１組）のフィルム部材ｆ１，ｆ２，ｆ３が設けられている。ここで，図４（ｂ）には，前記カバーユニット３０ｂ側に設けられた前記第２及び第３のフィルム部材ｆ２，ｆ３については，破線で示している。また，前記第１のシート端部受け部３２に重積したシートＳは一点破線で示している。前記フィルム部材ｆ１，ｆ２，ｆ３としては，例えば，ペットフィルム等の弾性フィルム部材を用いる。
このうち，第１のフィルム部材ｆ１は，図４（ａ）に示すように，前記中間トレイ３１側（前記受け側ユニット３０ａ側）の前記第１のシート端部受け部３２付近の高さの位置に設けられており，前記中間トレイ３１でのシートＳの搬送方向（図４（ａ）の右下方向）上流側において固定され，シートＳの搬送方向下流側に向かってシート面に斜めに向かう方向に伸びるように設けられている。これにより，前記第１のシート端部受け部３２に積載されるシートＳは，その先端部（下端部）付近が前記第１のフィルム部材ｆ１によって前記中間トレイ３１側から付勢される。
また，第２のフィルム部材ｆ２及び第３のフィルム部材ｆ３は，前記カバーユニット３０ｂ側の前記第１のシート端部受け部３２付近の高さの位置に設けられており，前記中間トレイ３１でのシートＳの搬送方向上流側において固定され，シートＳの搬送方向下流側に向かってシート面に斜めに向かう方向に伸びるように設けられている。これにより，前記第１のシート端部受け部３２に積載されるシートＳは，その先端部（下端部）付近が前記第２及び第３のフィルム部材ｆ２，ｆ３によって前記中間トレイ３１に向けて付勢される。
また，シートＳの幅方向（シートの搬送方向に直角の方向）においては，図４（ｂ）に示すように，シートＳの幅方向中央部付近において，前記第１のフィルム部材ｆ１と前記第２のフィルム部材ｆ２とがその一部が重なる位置にそれぞれ設けられている。これにより，前記第１及び第２のフィルム部材ｆ１，ｆ２は，前記第１のシート端部受け部３２に重積されるシートＳの幅方向中央部付近を，両面それぞれから略対向して付勢することになる。
また，前記第３のフィルム部材ｆ３は，前記第１及び第２のフィルム部材ｆ１，ｆ２よりも外側において，シートＳの幅方向両端部付近を付勢する位置に配置されている。もちろんいずれのフィルム部材ｆ１，ｆ２，ｆ３も，前記ステイプル手段３４，３５によりステイプルが施される位置とは重なっていないことはいうまでもない。
図４（ｃ）は，前記第１〜第３のフィルム部材ｆ１，ｆ２，ｆ３が設けられた本シート処理装置Ｘの前記シート受け部（３１，３２）に，シートＳが重積した様子を表す断面模式図である。
図４に示すような構成により，前記第１及び第２のフィルム部材ｆ１，ｆ２によってシートＳの先端部付近，即ち，前記第１のシート端部受け部３２によって受けられる部分の付近が両面から挟み込まれるように付勢されるので，シートが図５（ｂ），（ｃ）に示したようにカールしている場合であっても，そのカールが矯正され，図４（ｃ）に示すように前記第１のシート端部受け部３２の中央付近に寄せられるので，シートが前記第１のシート端部受け部３２からはみ出したりステイプル処理の際に整合不良が生じたりする不具合の発生を防止できる。
また，前記第３のフィルム部材ｆ３によってシートＳの幅方向両外側が前記中間トレイ３１に向けて付勢されるため，シートＳが搬送方向にカールしている場合だけでなく，図５（ｄ）に示したようにシートＳの幅方向（搬送方向に直角の方向）にカールしている場合であっても，そのカールが矯正され，シートＳが前記第１のシート端部受け部３２からはみ出す不具合の発生を防止できる。
また，各フィルム部材ｆ１，ｆ２，ｆ３が，シートＳの搬送方向上流側で固定され，シートＳの搬送方向に向かうほどシートＳ面に近づくように（シートの搬送に沿うように）設けられているため，各フィルム部材ｆ１，ｆ２，ｆ３の解放側（固定端と反対側）の端部がシートの搬送に逆らって引っ掛かることがなく，スムーズにシートＳが前記第１のシート端部受け部３２に受け入れられる。
【００１４】
【発明の効果】
以上説明したように，本発明によれば，シート処理装置のシート受け部において，搬送されてくるシートがカールしている場合であっても，弾性フィルム部材による付勢によってシートを整合してシート受け部に重積させることができる。また，弾性フィルム部材がシートの搬送に沿うように設けられるため，弾性フィルム部材がシートの搬送に逆らって引っ掛かることがなく，シートがスムーズにシート受け部に受け入れられる。
【図面の簡単な説明】
【図１】本発明の実施の形態に係るシート処理装置Ｘの概略断面図。
【図２】本発明の実施の形態に係るシート処理装置Ｘを構成する中間処理ユニットの受け側ユニットの正面図。
【図３】本発明の実施の形態に係るシート処理装置Ｘを構成する中間処理ユニットの断面図。
【図４】本発明の実施の形態に係るシート処理装置Ｘを構成する中間トレイ等からなるシート受け部を模式的に表した図。
【図５】従来のシート処理装置のシート受け部を模式的に表した図。
【符号の説明】
１１…シート入り口
１３…中段シート出口
１４…下段シート出口
２１…退避ドラム
３０…中間処理ユニット
３１…中間トレイ
３２…第１のシート端部受け部
３３…第２のシート端部受け部
３４，３５…ステイプル手段
３４’，３５’…ステイプル受け部
３６…シート送り出し部材
３７ａ，３７ｂ…無端ベルト
４０…中折りユニット
４１…押し型
４２…中折り用ローラ
５０…可動トレイ
６０…中折シート排出トレイ
６１…シート抑え部材
ｆ１，ｆ２，ｆ３…フィルム部材（弾性フィルム部材）
Ｒｏ１，Ｒｏ２，Ｒｏ３…搬送ローラ
Ｒｏ４，Ｒｏ６…排出ローラ
ｒ１，ｒ２，ｒ２２，ｒ３，ｒ４，ｒ５，ｒ６…シートの搬送路
【図１】
2004091191.tif 000003
【図２】
2004091191.tif 000004
【図３】
2004091191.tif 000005
【図４】
2004091191.tif 000006
【図５】
2004091191.tif 000007